(57)【要約】【課題】  本発明は、換気効率が良く、且つ防水性に優れる小屋裏換気部材を提供することを可能にすることを目的としている。【解決手段】  軒天井板４を挿入支持する断面コ字形状の嵌合部７を有する第１の立ち上がり片８と、第１の立ち上がり片８に接続されると共に該第１の立ち上がり片８と対向して配置され、該第１の立ち上がり片８の立ち上がり中間部に対応する位置に該第１の立ち上がり片８と反対側に向かう折り曲げ段差部11を有し、その折り曲げ部11ａよりも下方に換気用スリット穴12を設けた第２の立ち上がり片10とを有し、第１の立ち上がり片８の上部に第２の立ち上がり片10の折り曲げ段差部11の折り曲げ部11ａよりも上方で且つ第２の立ち上がり片10に向かって突出する第１の張り出し片13が設けられ、第２の立ち上がり片10の上部に第１の立ち上がり片８に設けられた第１の張り出し片13よりも上方で且つ第１の立ち上がり片８に向かって突出する第２の張り出し片14が設けられた小屋裏換気部材６であることを特徴とする。【選択図】      図４
2007239312.tif 000002
【特許請求の範囲】
【請求項１】
軒天井板を挿入支持する断面コ字形状の嵌合部を有する第１の立ち上がり片と、
前記第１の立ち上がり片に接続されると共に該第１の立ち上がり片と対向して配置され、該第１の立ち上がり片の立ち上がり中間部に対応する位置に該第１の立ち上がり片と反対側に向かう折り曲げ段差部を有し、その折り曲げ部よりも下方に換気用スリット穴を設けた第２の立ち上がり片と、
を有し、
前記第１の立ち上がり片の上部に前記第２の立ち上がり片の折り曲げ段差部の折り曲げ部よりも上方で且つ前記第２の立ち上がり片に向かって突出する第１の張り出し片が設けられ、
前記第２の立ち上がり片の上部に前記第１の立ち上がり片に設けられた前記第１の張り出し片よりも上方で且つ前記第１の立ち上がり片に向かって突出する第２の張り出し片が設けられたことを特徴とする小屋裏換気部材。
【請求項２】
前記第１の張り出し片と、前記第２の張り出し片の互いに対向する先端部が所定の間隔でオーバーラップして配置されたことを特徴とする請求項１に記載の小屋裏換気部材。
【請求項３】
前記第２の張り出し片の先端部を折り曲げて突起部を形成したことを特徴とする請求項１に記載の小屋裏換気部材。
【請求項４】
前記第１の立ち上がり片に設けられた前記第１の張り出し片の下方における換気通路内に不燃性体積膨張材を設けたことを特徴とする請求項１〜３の何れか１項に記載の小屋裏換気部材。
【発明の詳細な説明】
【技術分野】
【０００１】
本発明は、室外と小屋裏との間に換気通路を形成するための小屋裏換気部材に関するものである。
【背景技術】
【０００２】
従来、室外と小屋裏との間に設けられる換気通路では、室外と小屋裏との間の換気を行うと共に、強風時には換気通路を塞いで風雨が小屋裏内に浸入することを防止し、更には火災時には換気通路を閉塞して延焼を防止する機能が要求されている。
【０００３】
例えば、特許文献１〜特許文献４には小屋裏の換気を図る種々の技術が提案されている。
【０００４】
【特許文献１】特開２００３−２３９４２２号公報
【特許文献２】特開２００２−１８８２４１号公報
【特許文献３】特開２００３−１７６５９７号公報
【特許文献４】特開２００３−１８５２３９号公報
【発明の開示】
【発明が解決しようとする課題】
【０００５】
しかしながら、特許文献１の技術では、暴風雨時に特許文献１の換気穴(60)から雨水が吹き込むと小屋裏内に雨水が浸入する虞がある。特許文献２の技術では、壁見切り部材（３）の上端部に設けられた取付水平片（14）が換気通路側に折り曲げられているものの野縁（８）を取り付けるためのものであるため水返しとして機能するか否かは不明であり、暴風雨時にスリット穴(22)から雨水が吹き込むと小屋裏内に雨水が浸入する虞がある。
【０００６】
また、特許文献３の技術では、暴風雨時には開閉弁（15）がスリット穴（５）を閉塞して小屋裏への雨水の吹込みを防止することが出来るものの換気も阻害されてしまうという問題があった。また、特許文献４の技術では、換気具（１）内部に後方水切り片（52）、前方水切り片（12）、後方突出片（66）及び前方突出片（11）が交互に対向するように設けられるため換気時の流路抵抗が大きくなり、換気効率が低下するという問題があった。
【０００７】
本発明は前記課題を解決するものであり、その目的とするところは、換気効率が良く、且つ防水性に優れる小屋裏換気部材を提供せんとするものである。
【課題を解決するための手段】
【０００８】
前記目的を達成するための本発明に係る小屋裏換気部材の第１の構成は、軒天井板を挿入支持する断面コ字形状の嵌合部を有する第１の立ち上がり片と、前記第１の立ち上がり片に接続されると共に該第１の立ち上がり片と対向して配置され、該第１の立ち上がり片の立ち上がり中間部に対応する位置に該第１の立ち上がり片と反対側に向かう折り曲げ段差部を有し、その折り曲げ部よりも下方に換気用スリット穴を設けた第２の立ち上がり片とを有し、前記第１の立ち上がり片の上部に前記第２の立ち上がり片の折り曲げ段差部の折り曲げ部よりも上方で且つ前記第２の立ち上がり片に向かって突出する第１の張り出し片が設けられ、前記第２の立ち上がり片の上部に前記第１の立ち上がり片に設けられた前記第１の張り出し片よりも上方で且つ前記第１の立ち上がり片に向かって突出する第２の張り出し片が設けられたことを特徴とする。
【０００９】
また、本発明に係る小屋裏換気部材の第２の構成は、前記第１の構成において、前記第１の張り出し片と、前記第２の張り出し片の互いに対向する先端部が所定の間隔でオーバーラップして配置されたことを特徴とする。
【００１０】
また、本発明に係る小屋裏換気部材の第３の構成は、前記第１の構成において、前記第２の張り出し片の先端部を折り曲げて突起部を形成したことを特徴とする。
【００１１】
また、本発明に係る小屋裏換気部材の第４の構成は、前記第１〜第３の構成において、前記第１の立ち上がり片に設けられた前記第１の張り出し片の下方における換気通路内に不燃性体積膨張材を設けたことを特徴とする。
【発明の効果】
【００１２】
本発明に係る小屋裏換気部材の第１の構成によれば、暴風雨時に小屋裏換気部材の風上側の換気用スリット穴から換気通路内部に侵入した雨水は、先ず、第１の立ち上がり片の上部に設けられた第１の張り出し片にぶつかり、ぶつかった雨水は第２の立ち上がり片に跳ね返る。第２の立ち上がり片に跳ね返った雨水は、第２の立ち上がり片の上部に設けられた第２の張り出し片により上方への移動を阻害され、小屋裏に浸入することなく換気通路内部を横走りすることを余儀なくされる。小屋裏換気部材の風下側まで横走りした雨水は風下側へ吹き出されて排出される。
【００１３】
小屋裏換気部材の換気通路は常時開放され、換気時の流路抵抗も比較的小さく、十分な換気効率を得ることが出来、防水性に優れる。
【００１４】
また、本発明に係る小屋裏換気部材の第２の構成によれば、第１の張り出し片と、第２の張り出し片の互いに対向する先端部が所定の間隔でオーバーラップして配置されたことにより風上側から吹き込んで真上方向に侵入した雨水がオーバーラップ部により跳ね返り小屋裏内の壁側への侵入を防止することが出来る。
【００１５】
また、本発明に係る小屋裏換気部材の第３の構成によれば、第２の張り出し片の先端部を折り曲げて突起部を形成したことにより風上側から吹き込んで風圧によって小屋裏方向に侵入した雨水が第２の張り出し片の先端部を折り曲げて形成した突起部により跳ね返ることで直接小屋裏内へ飛散することを防止し、該突起部で水を切って落下させ、小屋裏内への雨水の侵入を防止することが出来る。
【００１６】
また、本発明に係る小屋裏換気部材の第４の構成によれば、第１の立ち上がり片に設けられた第１の張り出し片の下方における換気通路内に不燃性体積膨張材を設けたことで、火災の際には不燃性体積膨張材が第１の張り出し片の下部に納まるように熱膨張するので高密度の熱気遮蔽部が構成出来、防火性が向上する。
【発明を実施するための最良の形態】
【００１７】
図により本発明に係る小屋裏換気部材の一実施形態を具体的に説明する。図１は本発明に係る小屋裏換気部材を用いた小屋裏換気構造を示す断面説明図、図２は本発明に係る小屋裏換気部材の構成を示す斜視説明図、図３（ａ）は図２のＡ−Ａ断面図、図３（ｂ）は図２のＢ−Ｂ断面図、図４は図２のＣ−Ｃ断面図で、本発明に係る小屋裏換気部材による防水作用を説明する図、図５（ａ）は本発明に係る小屋裏換気部材を用いた小屋裏換気構造のコーナー部の構成を示す斜視説明図、図５（ｂ）はコーナー部で本発明に係る小屋裏換気部材を支持するコーナー受け部材の構成を示す斜視図、図５（ｃ）はコーナー受け部材と軒天井板との取り合いを示す断面説明図、図６（ａ），（ｂ）は本発明に係る小屋裏換気部材に設けた不燃性体積膨張材の一例を説明する断面説明図、図７は本発明に係る小屋裏換気部材の他の構成を示す断面説明図である。
【００１８】
図１において、１は小屋裏であり、２は屋根、３は鼻先隠し板、４は軒天井板、５は建物の壁材である。図２に示すように、長尺状の小屋裏換気部材６は、１枚の鋼板、ステンレス板等の鋼板を冷間ロールフォーミング法等により折曲プレス加工することにより全体が一体的に形成される。小屋裏換気部材６は軒天井板４を挿入支持する断面コ字形状の嵌合部７を有する第１の立ち上がり片８と、接続片９により該第１の立ち上がり片８と対向して配置して接続される第２の立ち上がり片10とを有して構成される。
【００１９】
第２の立ち上がり片10には、第１の立ち上がり片８の立ち上がり中間部に対応する位置に該第１の立ち上がり片８と反対側に向かう折り曲げ段差部11が設けられ、該折り曲げ段差部11の折り曲げ部11ａよりも下方に換気用スリット穴12が形成されている。
【００２０】
第１の立ち上がり片８の上部には、第２の立ち上がり片10の折り曲げ段差部11の折り曲げ部11ａよりも上方で且つ第２の立ち上がり片10に向かって突出する第１の張り出し片13が設けられている。第１の張り出し片13は軒天井板４を挿入して嵌合する嵌合部７の上片を折り返して傾斜して延長されたものである。
【００２１】
また、第２の立ち上がり片10の上部には、第１の立ち上がり片８に設けられた第１の張り出し片13よりも上方で且つ第１の立ち上がり片８に向かって突出する第２の張り出し片14が設けられている。
【００２２】
第２の立ち上がり片10の折り曲げ段差部11の上方で第２の張り出し片14に接続される上部立ち上がり片10ａには所定ピッチで取付穴15が設けられており、図３（ａ）に示すように、該取付穴15に固定部材16を挿通して建物全周の壁材５に固定することにより小屋裏換気部材６が建物全周の壁面と軒天井板４との取り合い部に周回して取り付けられる。
【００２３】
第１の立ち上がり片８、接続片９、第２の立ち上がり片10、第１の張り出し片13及び第２の張り出し片14等により形成される小屋裏換気部材６の換気通路18内には、図２及び図３（ａ）に示すように、軒天井板４を挿入支持する断面コ字形状の嵌合部７に沿った形状を有する断面Ｗ字形状の軒天井板支持金具17が所定のピッチで配置され、軒天井板支持金具17に設けられた取付穴17ａと小屋裏換気部材６の上部立ち上がり片10ａに設けられた取付穴15に固定部材16を挿通して建物の壁材５に固定することにより嵌合部７の下面を受けて軒天井板４を支持する軒天井板支持金具17が建物の壁材５に取り付けられる。
【００２４】
また、図２及び図３（ｂ）に示すように、建物の壁面の直線部において隣設される小屋裏換気部材６は互いに突き合わせて当接され、該小屋裏換気部材６の下面を建物の壁材５に固定された受け部材22により受けて支持する。受け部材22はその断面形状が小屋裏換気部材６の第１の立ち上がり片８、接続片９、第２の立ち上がり片10、折り曲げ段差部11及び上部立ち上がり片10ａの断面形状に対応した形状を有して構成されており、該受け部材22に小屋裏換気部材６の下部が嵌合された状態で支持される。
【００２５】
また、図５（ａ）に示すように、建物の壁面のコーナー部においては建物の壁材５にコーナー受け部材21が固定され、互いに交差する方向に配置される小屋裏換気部材６の下面を該コーナー受け部材21により受けて支持すると共に、図５（ｃ）に示すように、該コーナー受け部材21により軒天井板４の下面を受けて支持する。コーナー受け部材21はその断面形状が小屋裏換気部材６の第１の立ち上がり片８、接続片９、第２の立ち上がり片10、折り曲げ段差部11及び上部立ち上がり片10ａの断面形状に対応した形状を有して構成されており、コーナー受け部材21に小屋裏換気部材６の下部が嵌合された状態で支持される。
【００２６】
上記構成において、図４に示すように、暴風雨時に小屋裏換気部材６の風上側ａの換気用スリット穴12から換気通路18内部に侵入した雨水20は、先ず、第１の立ち上がり片８の上部に設けられた第１の張り出し片13にぶつかり、ぶつかった雨水20は第２の立ち上がり片10の上部立ち上がり片10ａに跳ね返る。そして、第２の立ち上がり片10の上部立ち上がり片10ａに跳ね返った雨水20は、第２の立ち上がり片10の上部に設けられた第２の張り出し片14により上方への移動を阻害され、小屋裏１内に浸入することなく換気通路18内部を横走りすることを余儀なくされる。
【００２７】
そして、図５（ａ）に示すように、小屋裏換気部材６の換気通路18に連通するコーナー空間23がコーナー受け部材21と軒天井板４とにより形成され、該コーナー空間23を介して建物壁面のコーナー部を廻って小屋裏換気部材６の風下側ｂまで横走りした雨水は該風下側ｂの隙間（小屋裏換気部材６相互の突き当て部や換気用スリット穴12等）から吹き出されて排出される。
【００２８】
このように、小屋裏換気部材６の換気通路18は常時開放され、換気時の流路抵抗も比較的小さく、十分な換気効率を得ることが出来、しかも防水性に優れる。
【００２９】
図６に示すように、小屋裏換気部材６の第１の立ち上がり片８に設けられた第１の張り出し片13の下方における換気通路18内には不燃性体積膨張材19が設けられている。図１〜図６（ａ）は第１の張り出し片13の下方における上部立ち上がり片10ａに不燃性体積膨張材19を取り付けた場合の一例であり、図６（ｂ）は第１の張り出し片13の下方における接続片９に不燃性体積膨張材19を取り付けた場合の一例である。
【００３０】
不燃性体積膨張材19は接着剤や粘着テープ等により上部立ち上がり片10ａや接続片９に貼着することが出来る。不燃性体積膨張材19は、膨張性グラファイト系の防炎、防煙用シール材であって、通過熱風温度が１５０℃〜１７０℃で約１０倍に膨張する性質を有している。不燃性体積膨張材19としては、例えば、オーストリア  ケミー・リンツ社製の「インツメックス（商品名）」や種々の不燃性体積膨張材が適用可能である。
【００３１】
図６（ａ），（ｂ）に示すように、小屋裏換気部材６の第１の立ち上がり片８に設けられた第１の張り出し片13の下方における換気通路18内に不燃性体積膨張材19を設けたことで、火災の際には不燃性体積膨張材19が第１の張り出し片13の下部に納まるように熱膨張するので高密度の熱気遮蔽部が構成出来、防火性が向上する。
【００３２】
図７は本発明に係る小屋裏換気部材６の他の構成を示す。本実施形態では、第１の張り出し片13と第２の張り出し片14の互いに対向する先端部が所定の間隔でオーバーラップして配置されたオーバーラップ部Ｗを有しており、これにより、風上側ａから吹き込んで真上方向ａ１に侵入した雨水20がオーバーラップ部Ｗにより跳ね返り小屋裏１内の壁側への侵入を防止することが出来る。
【００３３】
図７（ａ）では、第２の張り出し片14の先端部を丸く折り返して断面６字形状の突起部14ａを形成しており、これにより、風上側ａから吹き込んで風圧によって小屋裏１方向ａ２に侵入した雨水20が突起部14ａにより跳ね返ることで直接小屋裏１内へ飛散することを防止し、該突起部14ａで水を切って落下させ、小屋裏１内への雨水20の侵入を防止することが出来る。図７（ｂ）では、第２の張り出し片14の先端部を１８０度折り返して断面Ｊ字形状の突起部14ａを形成しており、これにより、風上側ａから吹き込んで風圧によって小屋裏１方向ａ２に侵入した雨水20が突起部14ａにより跳ね返ることで直接小屋裏１内へ飛散することを防止し、該突起部14ａで水を切って落下させ、小屋裏１内への雨水20の侵入を防止することが出来る。
【００３４】
また、図７（ｃ）では、第１の張り出し片13及び第２の張り出し片14のそれぞれの先端部を垂下するように折り曲げて突起部13ａ，14ａを形成しており、これにより、風上側ａから吹き込んで風圧によって第２の張り出し片14方向ａ３に侵入した雨水20が突起部13ａにより跳ね返り、該突起部13ａで水を切って落下させ、更に風圧によって小屋裏１方向ａ２に侵入した雨水20が突起部14ａにより跳ね返ることで直接小屋裏１内へ飛散することを防止し、該突起部14ａで水を切って落下させ、小屋裏１内への雨水20の侵入を防止することが出来る。この場合、軒天井板支持金具17が配置された部位の突起部13ａは部分的に除去しておけば良い。
【産業上の利用可能性】
【００３５】
本発明の活用例として、室外と小屋裏との間に換気通路を形成するための小屋裏換気部材に適用することが出来る。
【図面の簡単な説明】
【００３６】
【図１】本発明に係る小屋裏換気部材を用いた小屋裏換気構造を示す断面説明図である。
【図２】本発明に係る小屋裏換気部材の構成を示す斜視説明図である。
【図３】（ａ）は図２のＡ−Ａ断面図、（ｂ）は図２のＢ−Ｂ断面図である。
【図４】図２のＣ−Ｃ断面図で、本発明に係る小屋裏換気部材による防水作用を説明する図である。
【図５】（ａ）は本発明に係る小屋裏換気部材を用いた小屋裏換気構造のコーナー部の構成を示す斜視説明図、（ｂ）はコーナー部で本発明に係る小屋裏換気部材を支持するコーナー受け部材の構成を示す斜視図、（ｃ）はコーナー受け部材と軒天井板との取り合いを示す断面説明図である。
【図６】（ａ），（ｂ）は本発明に係る小屋裏換気部材に設けた不燃性体積膨張材の一例を説明する断面説明図である。
【図７】本発明に係る小屋裏換気部材の他の構成を示す断面説明図である。
【符号の説明】
【００３７】
１…小屋裏
２…屋根
３…鼻先隠し板
４…軒天井板
５…壁材
６…小屋裏換気部材
７…嵌合部
８…第１の立ち上がり片
９…接続片
10…第２の立ち上がり片
10ａ…上部立ち上がり片
11…折り曲げ段差部
11ａ…折り曲げ部
12…換気用スリット穴
13…第１の張り出し片
13ａ…突起部
14…第２の張り出し片
14ａ…突起部
15…取付穴
16…固定部材
17…軒天井板支持金具
17ａ…取付穴
18…換気通路
19…不燃性体積膨張材
20…雨水
21…コーナー受け部材
22…受け部材
23…コーナー空間
Ｗ…オーバーラップ部
【図１】
2007239312.tif 000003
【図２】
2007239312.tif 000004
【図３】
2007239312.tif 000005
【図４】
2007239312.tif 000006
【図５】
2007239312.tif 000007
【図６】
2007239312.tif 000008
【図７】
2007239312.tif 000009